(57)【特許請求の範囲】
【請求項１】
オーディオ／ビデオソースを表すオーディオ／ビデオ信号を生成するオーディオ／ビデオ生成装置であって、
上記生成されたオーディオ／ビデオ信号を記録媒体に記録する記録手段と、
上記生成されたオーディオ／ビデオ信号を受信し、当該オーディオ／ビデオ信号に応じて自動的に第１のメタデータを生成するメタデータ生成プロセッサとを備え、
上記第１のメタデータは、上記オーディオ／ビデオ信号の１以上の部分の開始点及び終了点を表すタイムコードと、当該各部分を識別する固有の識別コードとを含み、
上記メタデータ生成プロセッサは、上記オーディオ／ビデオ信号が記録される上記記録媒体を識別する識別子を生成し、上記第１のメタデータ及び上記識別子を、上記記録媒体から独立して当該メタデータ生成プロセッサと通信可能なデータ記憶部へ記憶し、
当該オーディオ／ビデオ生成装置は、所定のフォーマットに準拠して上記メタデータ生成プロセッサを外部の携帯型データ処理装置と接続するインターフェイスをさらに備え、
上記携帯型データ処理装置は、ユーザの操作に応じて生成された第２のメタデータを上記メタデータ生成プロセッサに供給し、
上記記録手段は、上記オーディオ／ビデオ信号及び上記第１のメタデータとともに上記第２のメタデータを上記記録媒体に記録し、
上記第２のメタデータは、上記自動的に生成された第１のメタデータとともに記録される上記オーディオ／ビデオ信号に含まれるべきシーン又はショットの構想を示す、上記ユーザにより生成された事前構想情報と、当該事前構想情報から現在のショットを識別するショット識別子とを含み、
上記事前構想情報は、上記携帯型データ処理装置に予め記憶されている
オーディオ／ビデオ生成装置。
【請求項２】
上記固有の識別コードは、固有素材識別子（Unique Material Identifier: UMID）であることを特徴とする請求項１記載のオーディオ／ビデオ生成装置。
【請求項３】
オーディオ／ビデオソースを表すオーディオ／ビデオ信号を生成するオーディオ／ビデオ生成装置であって、
上記生成されたオーディオ／ビデオ信号を記録媒体に記録する記録部と、
上記生成されたオーディオ／ビデオ信号を受信し、当該オーディオ／ビデオ信号に応じて自動的に第１のメタデータを生成するメタデータ生成プロセッサとを備え、
上記第１のメタデータは、上記オーディオ／ビデオ信号の１以上の部分の開始点及び終了点を表すタイムコードと、当該各部分を識別する固有の識別コードとを含み、
上記メタデータ生成プロセッサは、上記オーディオ／ビデオ信号が記録される上記記録媒体を識別する識別子を生成し、上記第１のメタデータ及び上記識別子を、上記記録媒体から独立して当該メタデータ生成プロセッサと通信可能なデータ記憶部へ記憶し、
当該オーディオ／ビデオ生成装置は、所定のフォーマットに準拠して上記メタデータ生成プロセッサを外部の携帯型データ処理装置と接続するインターフェイスをさらに備え、
上記携帯型データ処理装置は、ユーザの操作に応じて生成された第２のメタデータを上記メタデータ生成プロセッサに供給し、
上記記録部は、上記オーディオ／ビデオ信号及び上記第１のメタデータとともに上記第２のメタデータを上記記録媒体に記録し、
上記第２のメタデータは、上記自動的に生成された第１のメタデータとともに記録される上記オーディオ／ビデオ信号に含まれるべきシーン又はショットの構想を示す、上記ユーザにより生成された事前構想情報と、当該事前構想情報から現在のショットを識別するショット識別子とを含み、
上記事前構想情報は、上記携帯型データ処理装置に予め記憶されている
オーディオ／ビデオ生成装置。
【請求項４】
上記固有の識別コードは、固有素材識別子（Unique Material Identifier: UMID）であることを特徴とする請求項３記載のオーディオ／ビデオ生成装置。
【請求項５】
オーディオ／ビデオソースを表すオーディオ／ビデオ信号を記録する記録装置から当該オーディオ／ビデオ信号を受信し、該オーディオ／ビデオ信号に関連するメタデータを生成するメタデータ生成装置であって、
上記記録装置と接続する第１のインターフェイスと、
上記受信されたオーディオ／ビデオ信号に応じて自動的に第１のメタデータを生成するメタデータ生成プロセッサとを備え、
上記第１のメタデータは、上記オーディオ／ビデオ信号の１以上の部分の開始点及び終了点を表すタイムコードと、当該各部分を識別する固有の識別コードとを含み、
上記メタデータ生成プロセッサは、上記オーディオ／ビデオ信号が記録される上記記録装置を識別する識別子を生成し、上記第１のメタデータ及び上記識別子を、上記記録装置から独立して当該メタデータ生成プロセッサと通信可能なデータ記憶部へ記憶し、
当該メタデータ生成装置は、所定のフォーマットに準拠して上記メタデータ生成プロセッサを外部の携帯型データ処理装置と接続する第２のインターフェイスをさらに備え、
上記携帯型データ処理装置は、ユーザの操作に応じて生成された第２のメタデータを上記メタデータ生成プロセッサに供給し、
上記メタデータ生成プロセッサは、上記オーディオ／ビデオ信号及び上記第１のメタデータとともに上記第２のメタデータが上記記録媒体に記録されるように上記記録装置を制御し、
上記第２のメタデータは、上記自動的に生成された第１のメタデータとともに記録される上記オーディオ／ビデオ信号に含まれるべきシーン又はショットの構想を示す、上記ユーザにより生成された事前構想情報と、当該事前構想情報から現在のショットを識別するショット識別子とを含み、
上記事前構想情報は、上記携帯型データ処理装置に予め記憶されている
メタデータ生成装置。
【請求項６】
上記固有の識別コードは、固有素材識別子（Unique Material Identifier: UMID）であることを特徴とする請求項５記載のメタデータ生成装置。
【請求項７】
上記オーディオ／ビデオ信号は、オーディオ／ビデオ素材のアイテムを表し、
上記データプロセッサは、上記オーディオ／ビデオ素材のアイテム用のタイムコードのログを生成することを特徴とする請求項５記載のメタデータ生成装置。
【請求項８】
上記データプロセッサは、上記ログを上記データ記憶部に記憶することを特徴とする請求項７記載のメタデータ生成装置。
【請求項９】
オーディオ／ビデオ生成装置によりオーディオ／ビデオソースを表すオーディオ／ビデオ信号を生成するオーディオ／ビデオ信号生成方法であって、
上記オーディオ／ビデオ信号を生成するステップと、
上記オーディオ／ビデオ信号を記録媒体に記録するステップと、
上記オーディオ／ビデオ信号に応じて自動的に第１のメタデータを生成し、上記オーディオ／ビデオ信号が記録される上記記録媒体を識別する識別子を生成するステップと、
上記第１のメタデータ及び上記識別子を、上記記録媒体から独立したデータ記憶部へ記憶するステップと、
外部の携帯型データ処理装置により、ユーザの操作に応じて第２のメタデータを生成するステップと、
上記第２のメタデータを、所定のフォーマットに準拠したインターフェイスを介して上記携帯型データ処理装置から受信するステップと、
上記オーディオ／ビデオ信号及び上記第１のメタデータとともに上記受信された第２のメタデータを上記記録媒体へ記録するステップとを有し、
上記第１のメタデータは、上記オーディオ／ビデオ信号の１以上の部分の開始点及び終了点を表すタイムコードと、当該各部分を識別する固有の識別コードとを含み、
上記第２のメタデータは、上記自動的に生成された第１のメタデータとともに記録される上記オーディオ／ビデオ信号に含まれるべきシーン又はショットの構想を示す、上記ユーザにより生成された事前構想情報と、当該事前構想情報から現在のショットを識別するショット識別子とを含み、
上記事前構想情報は、上記携帯型データ処理装置に予め記憶されている
オーディオ／ビデオ信号生成方法。
【請求項１０】
上記固有の識別コードは、固有素材識別子（Unique Material Identifier: UMID）であることを特徴とする請求項９記載のオーディオ／ビデオ信号生成方法。
【請求項１１】
コンピュータにより実行可能な命令を提供するコンピュータプログラムであって、データプロセッサにロードされて、該データプロセッサを請求項１乃至４いずれか１項記載のオーディオ／ビデオ生成装置又は請求項５乃至８いずれか１項記載のメタデータ生成装置として動作させるコンピュータプログラム。
【請求項１２】
コンピュータにより実行可能な命令を提供するコンピュータプログラムであって、データプロセッサにロードされて、請求項９記載のオーディオ／ビデオ信号生成方法を実行するコンピュータプログラム。
【請求項１３】
請求項１１又は１２記載のコンピュータプログラムを表す情報信号が記録されたコンピュータにより読取り可能な記録媒体。
【発明の詳細な説明】
【０００１】
発明の分野
本発明は、オーディオ信号及び／又はビデオ信号生成装置、及びオーディオ信号及び／又はビデオ信号生成方法に関する。
【０００２】
オーディオ及びビデオ作品の題材及びコンテンツには様々な種類のものがある。さらに、これら様々な種類に対応して、膨大な量のオーディオ及びビデオ作品が制作されている。オーディオ作品には、例えば、生放送及び録音放送を含むラジオ放送、ミュージカルや音声の録音等も含まれ、一方、ビデオ作品には、例えばテレビ番組やビデオの録画等も含まれる。通常、ビデオ作品はサウンドトラック又は解説音声のためのトラックを有しており、したがって、ビデオ作品は、本質的に、オーディオ作品をその一部として含んでいる場合が多い。
【０００３】
ここで、オーディオ及び／又はビデオという用語は、オーディオ情報又は信号、ビデオ情報又は信号、又はビデオ及びオーディオ情報又は信号の組み合わせのいかなる形式をも指示するものとする。オーディオ及び／又はビデオを単にオーディオ／ビデオと表記する。
【０００４】
オーディオ／ビデオ作品の種類及び量が大量に存在するため、オーディオ／ビデオ作品が保管されている場所からオーディオ／ビデオ素材の特定のコンテンツアイテムを検索するために、オペレータは、オーディオ／ビデオ作品群の中から視覚的に所望のコンテンツアイテムを検索しなくてはならず、この作業は困難で煩雑なものとなる。さらに、通常のオーディオ／ビデオ作品は、線形の記録媒体内に収まるものであっても、相当な長さを有している場合が多く、このような記録媒体を操作して、オーディオ／ビデオ作品からオーディオ／ビデオ素材の特定のコンテンツアイテムを検出する作業は、時間がかかり、煩雑なものとなる。
【０００５】
本出願と同じ出願人により出願された同時に係属中の英国特許出願第９９２１２３５．９号（GB9921235.9）には、オーディオ／ビデオ素材のコンテンツを表すメタデータを用いてオーディオ／ビデオ素材のコンテンツを検索する装置及び手法が開示されている。
【０００６】
本明細書において、メタデータは、オーディオ／ビデオ素材のコンテンツ、又はオーディオ／ビデオ素材のパラメータ又はオーディオ／ビデオ素材を作成するために用いられたパラメータ、又はオーディオ／ビデオ素材に関連する他のあらゆる情報を記述するいかなる形式の情報であってもよい。メタデータは、例えば、素材の実際のコンテンツに関する文脈的／記述的情報を提供する「意味的データ（semantic data）」であってもよい。意味的メタデータの例としては、対話期間の開始、場面の転換、新たな局面（face）の紹介又は場面における局面の位置、又はオーディオ／ビデオ素材のソースコンテンツに関連するその他の項目等がある。また、メタデータは、オーディオ／ビデオ素材の作成時に使用された設備の要素やパラメータに関連する統語的メタデータ（syntactic metadata）であってもよい。統語的メタデータとしては、カメラレンズに適用されたズーム量、レンズの開口及びシャッタースピードの設定、オーディオ／ビデオ素材が作成された日時等がある。メタデータは、関連するオーディオ／ビデオ素材とともに、記録媒体の異なる部分に記録してもよく、共通の部分に記録してもよいが、この説明におけるメタデータは、オーディオ／ビデオ素材のコンテンツの特徴及びエッセンスを検索及び識別するために使用するものであるため、オーディオ／ビデオ信号が再生される時には、オーディオ／ビデオ信号から分離していてもよい。
【０００７】
同時に係属中の英国特許出願ＧＢ９９２１２３５．９号に開示されているオーディオ／ビデオ素材のコンテンツを検索する装置及び方法は、オーディオ／ビデオ信号とともに生成されたメタデータを用いて、オーディオ／ビデオ素材の文脈的又はエッセンスの情報項目を検索する。
【０００８】
さらに、同時に係属中の英国特許出願ＧＢ９９２１２３４．２号には、オーディオ／ビデオ素材などのソースコンテンツを編集する編集システムが開示されている。この編集システムは、所望の作品スタイルのテンプレート表現をオーディオ／ビデオ素材に関連するメタデータに適用することにより、編集されたオーディオ／ビデオ作品を作成するものである。
【０００９】
発明の開示
本発明に係るオーディオ／ビデオ生成装置は、オーディオ／ビデオソースを表現するオーディオ／ビデオ信号を生成するものであり、オーディオ／ビデオ信号を記録媒体に記録する記録手段を備え、このオーディオ／ビデオ生成装置は、データプロセッサにより生成された、オーディオ／ビデオ信号に関連付けられたメタデータを受け取り、記録手段は、オーディオ／ビデオ信号とともにメタデータを記録する。
【００１０】
上述のように、オーディオ／ビデオ作品の性質及びコンテンツには様々なものがある。上述の同時に係属中の関連出願にも開示されているように、オーディオ／ビデオ作品にメタデータを関連付けて、オーディオ／ビデオ作品の保存管理に利用する手法は知られているが、本発明では、メタデータを用いて、オーディオ／ビデオ素材のコンテンツを編集及び検索することにより、オーディオ／ビデオ作品の作成にメタデータを活用する。
【００１１】
メタデータを生成し、メタデータをオーディオ／ビデオ信号とともに記録媒体に記録するオーディオ／ビデオ生成装置により、オーディオ／ビデオ作品の作成処理の効率を高めることができる。オーディオ／ビデオ信号のコンテンツを記述するメタデータは、記録媒体から、独立して又は平行して読み出すことができ、したがってオーディオ／ビデオ信号を再生することなく、オーディオ／ビデオ信号のコンテンツを確認することができる。オーディオ／ビデオ素材のコンテンツを記述するメタデータを生成し、このメタデータをオーディオ／ビデオ信号とともに記録媒体に記録することにより、オーディオ／ビデオ信号を編集してオーディオ／ビデオ作品を作成する処理を容易に行うことができる。本発明によれば、オーディオ／ビデオ信号自体を再生することなく、オーディオ／ビデオ信号のコンテンツを記述するメタデータに基づいて、オーディオ／ビデオ信号を記録媒体から選択的に再生できる。オーディオ／ビデオ信号自体を再生しながらの作業は、時間がかかり煩雑なものである。したがって、本発明により、編集処理の効率が向上する。
【００１２】
さらに、データプロセッサにより、記録されたオーディオ／ビデオ信号のタイムコードを表す信号を検出し、メタデータには、データプロセッサにより生成される、オーディオ／ビデオ信号のテイクの開始点及び終了点を表すタイムコードデータを含ませるとよい。オーディオ／ビデオ信号の一部を構成するテイクの開始点及び終了点のタイムコードを示すメタデータをオーディオ／ビデオ信号とともに記録することにより、オーディオ／ビデオ信号内の個別のアイテムを編集時に識別できる。
【００１３】
オーディオ／ビデオ装置により生成されたオーディオ／ビデオ信号に関連するメタデータをデータプロセッサにより生成し、このメタデータをオーディオ／ビデオ生成装置に供給することにより、オーディオ／ビデオ生成装置の機能性を向上させることができる。データプロセッサは、オーディオ／ビデオ生成装置の一部であってもよく、オーディオ／ビデオ生成装置から独立した装置であってもよい。
【００１４】
所定のフォーマットに準拠し、データプロセッサをオーディオ／ビデオ生成装置に接続するインターフェイスをオーディオ／ビデオ生成装置に設けてもよい。このインターフェイスにより、データプロセッサをオーディオ／ビデオ生成装置に接続することができる。この所定のフォーマットは、一般的なフォーマットであってもよく、これにより一定の範囲の種類のデータプロセッサをオーディオ／ビデオ生成装置に接続することができる。ユーザは、データプロセッサを用いて、メタデータを生成し、この目がデータをオーディオ／ビデオ生成装置により生成されたオーディオ／ビデオ信号に含ませることができる。このメタデータは、記録媒体において、オーディオ／ビデオ信号とは別に記録してもよい。
【００１５】
好ましい実施の形態においては、インターフェイスは、オーディオ／ビデオ生成装置から信号を受け取る能力を有する。この信号は、例えば記録媒体におけるタイムコードを表すものであってもよい。データプロセッサは、記録された信号のタイムコードを表す信号を受け取り、これに基づくメタデータを生成する。
【００１６】
また、本発明に係るオーディオ／ビデオ生成装置は、オーディオ／ビデオソースを表現するオーディオ／ビデオ信号を生成するオーディオ／ビデオ生成装置であって、オーディオ／ビデオ信号に関連するタイムコードを検出し、オーディオ／ビデオ信号の少なくとも一部に関連するタイムコードを表すデータをデータ記録装置に記録するデータプロセッサを備える。
【００１７】
オーディオ／ビデオ信号に関連付けられたタイムコードを記録装置に独立して記録することにより、記録媒体に記録されているオーディオ／ビデオ信号を個別にアドレス指定することができる。本発明の具体例では、タイムコードデータは、オーディオ／ビデオ信号の少なくとも一部の開始点及び終了点のタイムコードを表す。オーディオ／ビデオ信号の部分は、これらタイムコードにより識別される。
【００１８】
さらに、オーディオ／ビデオ信号を生成する際に、このオーディオ／ビデオ信号を識別する識別コードを自動的に生成するようにするとよい。メタデータにこの識別コードを含ませることにより、オーディオ／ビデオ信号の１又は複数の部分を個別に識別することができる。オーディオ／ビデオ信号の部分は、例えばオーディオ／ビデオ素材のテイクであってもよい。好ましい実施の形態においては、識別コードは、固有素材識別子（Unique Material Identifier: UMID）である。
【００１９】
好ましい実施の形態において、オーディオ／ビデオ生成装置は、ビデオカメラ、カムコーダ、テレビジョンカメラ、映画用カメラ等である。
【００２０】
また、本発明に係るメタデータ生成装置は、オーディオ／ビデオソースを表現するオーディオ／ビデオ信号を受け取り、オーディオ／ビデオ信号に関連するメタデータを生成するメタデータ生成装置であって、オーディオ／ビデオ信号に応じてメタデータを生成し、メタデータをオーディオ／ビデオ信号の少なくとも一部に関連付けて記録装置に記録するデータプロセッサを備え、データプロセッサは、オーディオ／ビデオ信号に関連するタイムコードを検出し、生成されるメタデータは、オーディオ／ビデオ信号の少なくとも一部に関連するタイムコードを表す。
【００２１】
本発明のさらなる形態及び特徴は、請求の範囲において定義されている。
【００２２】
好適な実施の形態の説明
取得ユニット（Acquisition unit）
本発明は、例えばテレビジョンカメラ、ビデオカメラ又はカムコーダ等のオーディオ／ビデオ生成装置として実現される。Ｆｉｇ．１は、パーソナルデジタルアシスタント（personal digital assistant：以下、ＰＤＡという。）と通信を行う本発明に基づくビデオカメラの構成を示す図である。ＰＤＡは、データ処理装置の例であり、ユーザの要求に応じてメタデータを生成する。ＰＤＡは、民生用電子機器の分野では周知のものであり、英数キーパッドや手書き入力インターフェイスを備えた、携帯可能な小型の個人用オーガナイザ又はデータ処理装置である。
【００２３】
Ｆｉｇ．１に示すビデオカメラ１０１は、カメラ本体１０２を備え、カメラ本体１０２は、１又は複数の撮像レンズ（図示せず）を有する撮像部（imaging arrangement）１０４の視野内に捉えられる光源からの光を受け取る。さらに、ビデオカメラ１０１は、ファインダ（view finder）１０６と、操作制御部（operating control unit）１０８を備え、これらによりユーザは、ビデオカメラ１０１の視野内に形成された画像を表す信号の記録を制御することができる。さらに、ビデオカメラ１０１は、マイクロフォン１１０を備える。マイクロフォン１１０は、ステレオ録音のために複数個のマイクロフォンを備えていてもよい。Ｆｉｇ．１に示す携帯型のＰＤＡ１１２は、画面１１４と英数字キーパッド１１６と、ユーザが手書き文字を入力する部分を備える。この手書き文字は、ＰＤＡ１１２により認識される。ＰＤＡ１１２は、インターフェイス１１８を介して、ビデオカメラ１０１に接続されている。インターフェイス１１８は、例えばＲＳ２３２等の所定のフォーマットに準拠している。インターフェイス１１８は、赤外線信号に対応するものであってもよく、これにより、無線通信リンクが実現する。インターフェイス１１８により、ビデオカメラ１０１は情報通信を行うことができる。ＰＤＡ１１２の機能及び用途については、後に詳細に説明する。ＰＤＡ１１２は、このＰＤＡ１１２を用いて作成されたメタデータを送信及び受信する機能を有し、これらメタデータは、ビデオカメラ１０１により検出及び捕捉されたオーディオ／ビデオ信号とともに記録される。ＰＤＡ１１２に接続されるビデオカメラ１０１の動作について、Ｆｉｇ．２を用いてさらに詳細に説明する。Ｆｉｇ．２は、Ｆｉｇ．１に示すカメラ本体１０２の内部構成を示す図であり、Ｆｉｇ．２において、Ｆｉｇ．１と同じ部分については同一の符号を付している。
【００２４】
Ｆｉｇ．２に示すように、カメラ本体１０２は、磁気記録テープ１２６に対するデータの読出／書込を行う読出／書込ヘッド１２４を有するテープドライブ１２２を備える。さらに、Ｆｉｇ．２に示すように、カメラ本体１０２は、接続チャンネル１３０を介してテープドライブ１２２に接続されたメタデータ生成プロセッサ１２８を備える。メタデータ生成プロセッサ１２８には、データ記憶部１３２と、クロック１３６と、３つのセンサ１３８，１４０，１４２が接続されている。Ｆｉｇ．２に示すように、インターフェイス１１８は、無線チャンネル１１９を介してデータを送受信する。インターフェイス１１８とメタデータ生成プロセッサ１２８間には、受信データと送信データのそれぞれに対応する接続チャンネル１４８，１５０が設けられている。メタデータ生成プロセッサ１２８には、接続チャンネル１５１を介して、カメラ１０１により生成されたオーディオ／ビデオ信号も供給される。オーディオ／ビデオ信号は、テープドライブ１２２にも供給され、テープ１２６に記録される。
【００２５】
Ｆｉｇ．１に示すビデオカメラ１０１は、撮像部１０４の視野内に捉えられた視覚的情報を記録媒体に記録する。ビデオカメラ１０１は、視覚的情報をビデオ信号に変換する。また、ビデオ信号として記録される視覚的情報とともに、マイクロフォン１１０により検出された音は、オーディオ信号として、ビデオ信号とともに記録媒体に記録される。Ｆｉｇ．２に示す具体例では、記録媒体は、磁気記録テープ１２６であり、磁気記録テープ１２６には、読出／書込ヘッド１２４によりオーディオ／ビデオ信号が記録される。読出／書込ヘッド１２４を用いてビデオ信号及びオーディオ信号を磁気記録テープ１２６に記録するための詳細な構成については、本発明の趣旨に直接関連するものではないため、Ｆｉｇ．２には示さず、詳細な説明を省略する。ユーザは、視覚的画像を捕捉し、これら画像を対応するオーディオ情報とともに磁気記録テープ１２６に記録すると、ＰＤＡ１１２を用いて、このオーディオ／ビデオ信号のコンテンツを記述するメタデータを入力することができる。後述するように、メタデータは、例えば「テイク（take）」のような、予め構想されたイベント（pre-planned event）によりオーディオ／ビデオ信号を識別する情報であってもよい。ユーザがＰＤＡ１１２を用いて追加したメタデータは、Ｆｉｇ．２に示すように、インターフェイス１１８を介してカメラ本体１０２に供給される。インターフェイス１１８は、無線チャンネル１１９を介して、データ信号を受信する。インターフェイス１１８は、接続チャンネル１４８，１５０を介してこれらデータを受け取る取得プロセッサ（acquisition processor）であるメタデータ生成プロセッサ１２８により処理可能な形式にデータを変換する。
【００２６】
メタデータ生成プロセッサ１２８は、接続チャンネル１５１から供給されてくるオーディオ／ビデオ信号に関連するメタデータを自動的に生成する。Ｆｉｇ．２に示す具体例では、メタデータ生成プロセッサ１２８は、クロック１３６を参照してタイムコードを生成し、これらタイムコードをテープ１２６のタイムコード用の線形記録トラックに記録する。タイムコードは、クロック１３６からの信号に基づいて、メタデータ生成プロセッサ１２８により生成される。さらに、メタデータ生成プロセッサ１２８は、オーディオ／ビデオ信号を固有に識別する固有素材識別子（Unique Material Identifier: 以下、ＵＭＩＤという。）等のその他のメタデータを自動的に生成する。メタデータ生成プロセッサ１２８は、テープドライブ１２４と連携して動作し、テープ１２６に、オーディオ／ビデオ信号とともにＵＭＩＤを記録する。
【００２７】
変形例においては、ＵＭＩＤを他のメタデータとともにデータ記録部１３２に記録し、テープ１２６から独立してデータの送受信を行えるようにする。この場合、メタデータ生成プロセッサ１２８は、テープ１２６を他のテープから識別するために、テープＩＤを生成し、生成したテープＩＤをテープ１２６に記録する。
【００２８】
ＵＭＩＤ及びオーディオ／ビデオ信号のコンテンツを識別する他のメタデータを生成するために、メタデータ生成プロセッサ１２８は、クロック１３６とともに、センサ１３８，１４０，１４２から信号を受け取る。メタデータ生成プロセッサ１２８は、これら信号を整理（co-ordinate）し、例えば、撮像部１０４におけるカメラレンズの開口の設定、シャッタースピード、制御部１０８から供給される、細くされた画像が「画像良好（good shot）」であることを示す信号等を表すメタデータを生成する。これら信号及びデータは、センサ１３８，１４０，１４２により生成され、メタデータ生成プロセッサ１２８に供給される。この具体例におけるメタデータ生成プロセッサ１２８は、ビデオカメラ１０１がビデオ信号を生成する際に用いた動作パラメータを表す統語的メタデータを生成する。さらに、メタデータ生成プロセッサ１２８は、ビデオカメラ１０１の状態を監視し、特に、オーディオ／ビデオ信号がテープドライブ１２４により記録されているか否かを監視する。記録開始（RECORD START）が検出されると、開始点（IN POINT）タイムコードが捕捉され、この開始点タイムコードに対応するＵＭＩＤが生成される。このとき、拡張ＵＭＩＤを生成してもよく、この場合、メタデータ生成プロセッサ１２８は、オーディオ／ビデオ信号が取得された位置を表す地理座標情報を受け取る。地理座標情報は、例えば、グローバルポジショニングシステム（Global Positioning System：ＧＰＳ）に準拠する受信機により生成することができる。この受信機は、ビデオカメラ１０１の外部機器であってもよく、カメラ本体１０２に組み込んでもよい。
【００２９】
記録開始（RECORD START）が検出されると、メタデータ生成プロセッサは、終了点（OUT POINT）タイムコードを捕捉する。上述のように、ここで「画像良好」を示すマーカを生成してもよい。「画像良好」を示すマーカは、記録処理の間に生成され、メタデータ生成処理プロセッサ１２８により検出される。「画像良好」を示すマーカは、開始点タイムコード及び終了点タイムコードとともに、テープ１２６に記録してもよく、データ記録部１３２に記録してもよい。
【００３０】
上述のように、ＰＤＡ１１２は、ビデオカメラ１０１により生成されたオーディオ／ビデオ素材の識別を補助するために使用される。このため、ＰＤＡ１１２は、オーディオ／ビデオ素材を例えばシーン、ショット、テイク等の所定のイベントに関連付ける。Ｆｉｇ．１及びＦｉｇ．２に示すビデオカメラ１０１及びＰＤＡ１１２は、オーディオ／ビデオ作品の構想を練り、取得し、編集するための統合システムを形成する。構想段階においては、オーディオ／ビデオ作品を作成するために必要なシーンが識別される。さらに、各シーンについて、そのシーンを構成するために必要な複数のショットが識別される。さらに、各ショットについて、複数のテイクを生成してもよく、これらテイクから最終編集用のショットとして用いるテイク番号が選択される。このような形式の構想情報（planning information）は、構想段階において識別される。構想されたシーン及びショットのそれぞれを表す又は識別するデータは、オーディオ／ビデオ素材が捕捉された際にディレクタを補助するための覚書とともにＰＤＡ１１２にロードされる。このようなデータの具体例を以下の表に示す。
【００３１】
【表１】
0004591982.tif 000002
【００３２】
この表の第１の欄は、カメラに捕捉され、オーディオ／ビデオ素材が作成されるイベントを示している。階層構造内で定義される各イベントには、識別番号が付与されている。これに対応して、第２の欄には、構想されたショット又はシーンのコンテンツをディレクタに指示し又は思い出させるための覚書が示されている。例えば、第１の列は、オーディオ／ビデオ作品がＢＭＷ社によるローバー（Rover）ブランドの処分を報告するニュースであることを定義している。表に示されている構想情報によれば、このニュースには３つのシーンがあり、それぞれのシーンには固有の識別番号が付与されている。各シーンは、「ロングブリッジ外観（Outside Longbridge）」、「ＢＭＷミュンヘン本社（BMW HQ Munich）」、「大臣へのインタビュー（Interview with Minister）」である。表では、各シーンに対応する複数のショットが各シーンの下に示されており、各ショットはそれぞれ固有のショット識別番号を有している。なお、これらショットのコンテンツの説明も第２欄に入力されている。例えば、第１のシーン「ロングブリッジ外観」に対しては、「ロングブリッジのＢＭＷの看板（Longbridge BMW sign）」、「立ち去る労働者（Workers Leaving shift）」、「駐車場内の労働者（Workers in car park）」といった３つのショットが存在する。この情報をＰＤＡ１１２にロードして、ディレクタ又は単独のカメラマンは、新たなショットを撮影するための場所にＰＤＡ１１２を持ち出し、構想に基づくオーディオ／ビデオ素材を採取する。この情報をグラフィカルユーザインターフェイスに表示するＰＤＡ１１２をＦｉｇ．３に示す。
【００３３】
Ｆｉｇ．１に示すように、ＰＤＡ１１２は、ビデオカメラ１０１に接続されてデータ通信を行う。このために、メタデータ生成プロセッサ１２８は、インターフェイス１１８を介して、ＰＤＡ１１２とデータを送受信する。インターフェイス１１８は、例えば、周知の標準規格に準拠した赤外線リンク１１９を用いて無線通信を行う。ＰＤＡ１１２及びＦｉｇ．２に示すカメラ１０１においてメタデータを生成する部分をさらに詳細にＦｉｇ．４に示す。
【００３４】
Ｆｉｇ．４では、メタデータの生成及びＰＤＡ１１２との通信に関連するカメラの一部を独立した取得ユニット（acquisition unit）１５２として示している。なお、取得ユニット１５２は、カメラ１０２内部に組み込んでもよい。取得ユニット１５２は、メタデータ生成プロセッサ１２８と、データ記憶部１３２とを備える。さらに、取得ユニット１５２は、クロック１３６及びセンサ１３８，１４０，１４２を備えている。これら、クロック１３６及びセンサ１３８，１４０，１４２は、図面を簡潔にするため、Ｆｉｇ．４では示していない。これに代えて、Ｆｉｇ．２に示す構成要素の全て又は一部をカメラ１０２に組み込み、タイムコード等、メタデータを定義するために必要な信号及びオーディオ／ビデオ信号をインターフェイスポート１５４に接続された通信リンク１５３を介して送受するようにしてもよい。これにより、メタデータ生成プロセッサ１２８は、オーディオ／ビデオ素材を生成する際に使用された他のパラメータに加えて、タイムコード及びオーディオ／ビデオ素材にアクセスすることができる。タイムコード及びパラメータを表す信号は、オーディオ／ビデオ信号とともに、インターフェイスポートを介して、インターフェイスチャンネル１５６に供給される。さらに、取得ユニット１５２は、画面（図示せず）を備え、画面は画面駆動部１５８により駆動される。さらに、Ｆｉｇ．４に示すように、取得ユニットは、通信プロセッサ１６０を備え、通信プロセッサ１６０は、接続チャンネル１６２を介して、メタデータ生成プロセッサ１２８に接続されている。通信プロセッサ１６０は、アンテナ１６４を用いて、無線通信チャンネルを介して通信を行う。Ｆｉｇ．５は、取得ユニットの外観の具体例を示す図である。
【００３５】
Ｆｉｇ．４には、ＰＤＡ１１２も示されている。ＰＤＡ１１２は、通信リンク１１９を介して取得ユニット１５２とデータを送受信するための対応する赤外線通信ポート１６５を備えている。さらに、ＰＤＡ１１２は、データプロセッサ１６６を備え、データプロセッサ１６６は、接続チャンネル１６６を介して赤外線ポート１６５とデータを送受信する。さらに、ＰＤＡ１１２は、それぞれデータプロセッサ１６６に接続されたデータ記録部１６７と画面駆動部１６８とを備える。
【００３６】
Ｆｉｇ．３に外観を示すＰＤＡ１１２及びＦｉｇ．５に示す取得ユニットは、本発明の一具体例を示すものである。これらＰＤＡ１１２及び取得ユニット１５２を接続する構成を図式的にＦｉｇ．６に示す。Ｆｉｇ．６に示す具体例では、取得ユニット１５２は、ビデオカメラ１０１の背面に装着され、６ピンのリモート端子を介してビデオカメラ１０１に接続され、及び接続チャンネルを介して記録テープに記録されているタイムコードを表す外部信号を受け取る。すなわち、矢印で示す６ピンのリモート端子とタイムコードは、Ｆｉｇ．４に示す通信チャンネル１５３を構成する。Ｆｉｇ．６に示すインターフェイスポート１５４は、ＲＭ−Ｐ９／ＬＴＣ信号をＲＳ４２２信号に変換する変換回路１５４を備え、ＶＡ信号をＤＮＩ信号に変換する。ＲＭ−Ｐ９とは、カメラ用遠隔制御プロトコルであり、ＬＴＣは、アナログ形式の線形タイムコード（Linear Time Code）である。ＲＳ４２２信号は、インターフェイスポート１５４の一部である接続チャンネル１５３”を介して、ＲＳ４２２−ＲＳ２３２変換回路１５４”に供給される。この変換回路１５４”は、接続チャンネル１５６を介して、ＲＳ２３２標準規格に基づいて動作する処理装置１２８にＲＳ２３２信号を供給する。
【００３７】
Ｆｉｇ．４に示すように、事前に構想された作品の情報がロードされたＰＤＡ１１２は、赤外線通信リンク１１９を介して次のショットＩＤを送信することにより、オーディオ／ビデオ素材が生成されるべき現在のシーン及びショットに関する情報を送信する。また、ＰＤＡ１１２は、事前に構想された情報を独立したリンク又は赤外線通信リンク１１９を介して取得ユニット１５２に供給し、この情報は記録部１３２に記録される。なお、取得ユニット１５２は、基本的には、現在選択されているシーンＩＤ又はショットＩＤに関連するメタデータを生成するように指示される。カメラ１０２は、現在のショットに関する情報を受け取った後、「そのショットのテイク（take of the shot）」を撮影するように操作される。そのテイクのオーディオ／ビデオ素材は、対応するタイムコードとともに記録テープ１２６に記録される。これらタイムコードは、インターフェイスポート１５４を介して、オーディオ／ビデオ素材とともにメタデータ生成プロセッサ１２８に供給される。メタデータ生成プロセッサ１２８には、現在撮影されている事前に構想された現在のショットに関する情報が既に入力されており、メタデータ生成プロセッサ１２８は、各ショットのテイクのためのタイムコードを記録する。すなわち、メタデータ生成プロセッサ１２８は、各テイクのＩＮタイムコード及びＯＵＴタイムコードをデータ記録部１３２に記録する。
【００３８】
メタデータ生成プロセッサ１２８により生成され及び記録された情報を以下に表として示す。この表の第１の欄において、シーン及びショットは対応するＩＤ番号により識別されており、各ショットに対して複数のテイクがカメラ技術者により撮影され、表ではこれらを階層的構造により示している。このように、ＰＤＡ１１２により現在のショットに関する情報が提供され、メタデータ生成プロセッサ１２８は、カメラ技術者により撮影された各テイクを記録する。表の第２及び第３欄は、このテイクの開始点（IN point）及び終了点（OUT point）を示すものであり、これらは記録部１３２に記録される。この情報は、Ｆｉｇ．５に示すように、取得ユニット１５２の画面にも表示される。さらに、上述のように、メタデータ生成プロセッサ１２８は、テイクとして記録されたオーディオ／ビデオ素材用のＵＭＩＤを生成する。表の第４欄は、各テイク用のＵＭＩＤを示している。さらに、いくつかの具体例においては、素材が記録されているテープを固有に識別するために、テープＩＤを生成し、このテープＩＤをメタデータに関連付ける。テープＩＤは、テープ自体に記録してもよく、テープカセット本体に組み込まれたランダムアクセスメモリチップに格納するようにしてもよい。ランダムアクセスメモリシステムは、TELEFILE(RTM)システムとして知られ、これによりテープＩＤを遠隔から読み出すことができる。テープＩＤは、磁気テープ１２６に書き込まれ、これによりこのテープが固有に識別される。好ましい実施の形態では、TELEFILE(RTM)システムには、メモリの一部として固有の番号が付されており、これをテープＩＤ番号として使用することができる。他の具体例においては、TELEFILE(RTM)システムは、記録されたオーディオ／ビデオ素材アイテムのＩＮ／ＯＵＴタイムコードを自動的に生成する。
【００３９】
本発明の一具体例において、以下の表に示す情報は、磁気テープ１２６における独立した記録チャンネルに記録される。なお、他の具体例においては、表に示すメタデータは、通信プロセッサ１６０又は赤外線リンク１１９を用いて、テープ１２６から独立して外部に送信される。このメタデータは、例えばＰＤＡ１１２により受信され、ＰＤＡ１１２はこのメタデータを分析し、さらに別の装置に送信することもできる。
【００４０】
【表２】
0004591982.tif 000003
【００４１】
通信プロセッサ１６０は、無線通信リンクを介して、メタデータ生成プロセッサ１２８により生成されたメタデータを送信する。このメタデータは、無線通信リンクを介して、例えば遠隔に位置するスタジオにより受信され、スタジオは、磁気テープ１２６に記録されているオーディオ／ビデオ素材より先に、このメタデータを取得し、処理する。これにより、素材を編集するためのポストプロダクション段階におけるオーディオ／ビデオ作品の作成の効率を高めることができる。
【００４２】
本発明の好適な実施の形態においては、記録されるオーディオ／ビデオ内の所定の時間的位置にピクチャスタンプ（picture stamp）を設ける。ピクチャスタンプは、当分野において、画像のデジタル表現として知られるものであり、この具体例においては、カメラにより生成された動画ビデオ素材から作成される。ビデオ信号に基づく画像を表すために必要なデータ量を低減させるために、ピクチャスタンプの画質を落としてもよい。したがって、ピクチャスタンプに対しては、画質を劣化させるような圧縮符号化処理を施してもよい。ピクチャスタンプは、オーディオ／ビデオ素材のコンテンツを視覚的に指示するものであり、したがって有効なメタデータとして機能する。ピクチャスタンプは、例えば、特定のテイクのＩＮタイムコード及びＯＵＴタイムコードの位置に対応して設けてもよい。ピクチャスタンプをメタデータ生成プロセッサ１２８により生成されたメタデータに関連付けて、データ記録部１３２に記録してもよい。ピクチャスタンプは、例えば、ピクチャスタンプにより表現されている画像が記録されているテープ上の位置を特定するタイムコード等のメタデータに関連付けられる。ピクチャスタンプは、「画像良好（good shot）」マーカとともに生成してもよい。メタデータ生成プロセッサ１２８は、通信リンク１５３を介して受け取ったオーディオ／ビデオ信号からピクチャスタンプを生成する。メタデータ生成プロセッサ１２８は、データサンプリング処理及び圧縮符号化処理を実行してピクチャスタンプを生成する。ピクチャスタンプが生成されると、ピクチャスタンプは様々な目的で使用できる。ピクチャスタンプをデータファイルに格納して、テープ１２６とは独立したデータとして取り扱ってもよく、あるいは、ピクチャスタンプを圧縮して、テープ１２６上の独立した記録チャンネルに記録してもよい。さらに、ピクチャスタンプを通信プロセッサ１６０を介して遠隔のスタジオに送信し、このスタジオにおいてプロデューサがピクチャスタンプを分析するような構成とすることが好ましい。これにより、プロデューサは、カメラにより撮影されたオーディオ／ビデオ素材が、要求されるものと合致するか否かを判断することができる。
【００４３】
さらなる具体例においては、ピクチャスタンプは、ＰＤＡ１１２に送信され、ＰＤＡ１１２の画面上に表示される。この送信処理は、赤外線ポート１１９を介して行ってもよく、通信プロセッサ１６０とのさらなる無線通信を実現するための無線リンク機能をＰＤＡ１１２に設けて行ってもよい。ＰＤＡ１１２を携帯するディレクタは、カメラにより撮影された現在のオーディオ／ビデオコンテンツを確認することができる。これにより、技術者に対して、現在生成されているオーディオ／ビデオ素材の美的品質に関する指示を直ちに行うことができる。上述のように、ピクチャスタンプは、圧縮符号化されており、したがって、ＰＤＡ１１２に速やかに送信することができる。
【００４４】
また、Ｆｉｇ．４に示す取得ユニット１５２によれば、遠隔のスタジオで待機する編集者に対し、オーディオ／ビデオ素材に先立って、オーディオ／ビデオ素材のコンテンツを示す情報が提供されるため、編集処理の効率が高められる。すなわち、無線リンクを介して、メタデータとともにピクチャスタンプを送信することにより、編集者は、オーディオ／ビデオ素材本体を受け取る前に、オーディオ／ビデオ素材のコンテンツを示す情報を受け取ることができる。この手法では、オーディオ／ビデオ素材用の帯域幅は、高品質な伝送に対応できるように広く確保され、メタデータ及びピクチャスタンプは、比較的伝送品質の低い狭い帯域幅で送信される。メタデータ及びピクチャスタンプの帯域幅を狭くすると、無線リンクにおいてかなり狭い帯域幅でメタデータ及びピクチャスタンプを伝送することができる。このため、オーディオ／ビデオ素材を記述するメタデータを高速に伝送することができる。
【００４５】
メタデータ生成プロセッサ１２８により生成されるピクチャスタンプは、記録されるオーディオ／ビデオ素材のどの位置に対応するものであってもよい。一具体例においては、各テイクのＩＮポイント及びＯＵＴポイント毎にピクチャスタンプを設ける。また、他の具体例では、動きプロセッサ（activity processor）１７０がビデオ素材内の相対的動き（activity）を検出する。この処理は、ビデオ信号により表現されている画像の色成分のヒストグラムをコンパイルし、色成分の変化率を判定し、これら色成分の変化を用いて画像内の動きを調べるものである。これに代えて、又はこれに加えて、画像内の動きベクトルを用いて動きを検出するようにしてもよい。動きプロセッサ１７６は、ビデオ素材内の相対的動きを示す信号を生成する。メタデータ生成プロセッサ１２８は、この動きを示す信号に応答して、ピクチャスタンプを生成する。すなわち、ビデオ信号により表される画像における動きが激しいほど、多くのピクチャスタンプが生成される。
【００４６】
本発明の変形例においては、動きプロセッサ１７０は、接続チャンネル１７２を介してオーディオ信号を受け取り、オーディオ信号に基づく音声を認識する。動きプロセッサ１７０は、この音声のコンテンツを表すコンテンツデータをテキストデータとして生成する。このテキストデータは、メタデータ生成プロセッサ１２８に供給される。このテキストデータは、さらにデータ記録部１３２に記録してもよく、上述したピクチャスタンプと同様に、通信プロセッサ１６０を介して、他のメタデータとともに外部に送信してもよい。
【００４７】
Ｆｉｇ．７は、オーディオ／ビデオ素材を編集してオーディオ／ビデオ番組を作成するポストプロダクション処理を説明する図である。Ｆｉｇ．７に示すように、メタデータは、破線１７４により表される独立したルートを介して、取得ユニット１５２からメタデータデータベース１７６に送信される。このメタデータは、ピクチャスタンプ及び／又は音声コンテンツ情報を含んでいていてもよい。破線１７４で示す信号経路は、例えばＵＭＴＳ、ＧＳＭ等の無線通信リンクにより実現される。
【００４８】
データベース１７６は、オーディオ／ビデオ素材に関連付けられるメタデータを格納する。データ品質の高いオーディオ／ビデオ素材は、テープ１２６に記録される。テープ１２６は、編集現場（editing suite）に搬送され、ここでテープ１２６は、採取プロセッサ（ingestion processor）１７８により採取（ingested）される。ここでは、破線１８０により示すように、テープ１２６に記録されているテープ識別情報（テープＩＤ）又はオーディオ／ビデオ素材のコンテンツを指示する他のメタデータを用いて、データベース１７６に格納されているメタデータをテープ１２６に記録されているオーディオ／ビデオ素材に関連付ける。
【００４９】
本発明の実施の形態の説明では、オーディオ／ビデオ素材を記録する記録媒体としてビデオテープを用いるが、例えば磁気ディスクやランダムアクセスメモリ等の他の記録媒体を用いてもよいことは言うまでもない。
【００５０】
採取プロセッサ（ingestion processor）
Ｆｉｇ．７は、オーディオ／ビデオ素材を編集してオーディオ／ビデオ番組を作成するポストプロダクション処理を説明する図である。Ｆｉｇ．７に示すように、メタデータは、破線１７４により表される独立したルートを介して、取得ユニット１５２からメタデータデータベース１７６に送信される。このメタデータは、ピクチャスタンプ及び／又は音声コンテンツ情報を含んでいていてもよい。破線１７４で示す信号経路は、例えばＵＭＴＳ、ＧＳＭ等の無線通信リンクにより実現される。
【００５１】
データベース１７６は、オーディオ／ビデオ素材に関連付けられるメタデータを格納する。データ品質の高いオーディオ／ビデオ素材は、テープ１２６に記録される。テープ１２６は、編集現場（editing suite）に搬送され、ここでテープ１２６は、採取プロセッサ（ingestion processor）１７８により採取（ingested）される。ここでは、破線１８０により示すように、テープ１２６に記録されているテープ識別情報（テープＩＤ）又はオーディオ／ビデオ素材のコンテンツを指示する他のメタデータを用いて、データベース１７６に格納されているメタデータをテープ１２６に記録されているオーディオ／ビデオ素材に関連付ける。
【００５２】
採取プロセッサ１７４は、Ｆｉｇ．７に示すように、接続線１８２により表される通信チャンネルにより形成されているネットワークにも接続されている。接続線１８２は、相互接続ネットワークを形成する設備内の機器間でデータを送受信するための通信チャンネルを表している。このため、設備内の機器は、例えばイーサネット（Ethernet）やＲＳ４２２等の周知の通信技術に基づいて動作するネットワークカードを備えている。さらに、後述するように、通信ネットワーク１８２は、シリアルデジタルインターフェイス（Serial Digital Interface：以下、ＳＤＩという。）又はシリアルデジタル伝送インターフェイス（Serial Digital Transport Interface）に基づくデータ通信を実現するものであってもよい。
【００５３】
通信ネットワーク１８２には、メタデータのデータベース１７６と、オーディオ／ビデオ素材が採取されるオーディオ／ビデオサーバ１９０が接続されている。さらに、通信ネットワーク１８２には、デジタルマルチ効果プロセッサ（digital multi-effects processor）１８８とともに、編集端末装置１８４，１８６が接続されている。
【００５４】
通信ネットワーク１８２は、採取プロセッサ１７８にロードされたテープ、ディスク又はその他の記録媒体に記録されているオーディオ／ビデオ素材へのアクセスを提供する。
【００５５】
メタデータのデータベース１７６には、経路１７４を介して、採取プロセッサ１７８にロードされた記録媒体に記録されているオーディオ／ビデオ素材のコンテンツを記述するメタデータが供給される。
【００５６】
本発明の実施の形態の説明では、オーディオ／ビデオ素材を記録する記録媒体としてビデオテープを用いるが、例えば磁気ディスクやランダムアクセスメモリ等の他の記録媒体を用いてもよく、ビデオテープは単に例示的なものに過ぎない。
【００５７】
編集端末装置１８４，１８６及びデジタルマルチ効果プロセッサ１８８は、通信ネットワーク１８２を介して、採取プロセッサ１７８にロードされたテープに記録されているオーディオ／ビデオ素材及びメタデータのデータベース１７６に格納されている、このオーディオ／ビデオ素材を記述するメタデータにアクセスすることができる。メタデータのデータベース１７６と連携する採取プロセッサ１７８の動作について、さらに詳細に説明する。
【００５８】
Ｆｉｇ．８は、採取プロセッサ１７８の外観の例を示す図である。Ｆｉｇ．８に示すように、採取プロセッサ１７８は、ジョグダイヤル操作子（jog shuttle control）２００を備え、このジョグダイヤル２００により、採取プロセッサ１７８が備えるビデオテープ記録／再生部にロードされたテープに記録されているオーディオ／ビデオ素材の検索（navigating）を行う。さらに、採取プロセッサ１７８は、表示画面２０２を備え、表示画面２０２オーディオ／ビデオ素材の選択された一部を表すピクチャスタンプを表示する。表示画面２０２は、タッチ画面としても機能し、ユーザは、この表示画面２０２に触れて、オーディオ／ビデオ素材を選択することができる。採取プロセッサ１７８は、表示スクリーン２０２に、台本（script）、カメラの機種、レンズの種類、ＵＭＩＤ等の全ての種類のメタデータを表示させることができる。
【００５９】
採取プロセッサ１７８は、Ｆｉｇ．９に示すように、オーディオ／ビデオ素材が記録された複数のビデオテープを同時に挿入できるように、複数のビデオテープ記録／再生部を備えていてもよい。Ｆｉｇ．９に示す具体例では、複数のビデオテープ記録装置２０４がＲＳ−４２２リンク及びＳＤＩイン／ＯＵＴリンクを介して採取プロセッサ１７８に接続されている。すなわち、採取プロセッサ１７８は、あらゆるビデオテープ記録装置２０４にアクセスし、そのビデオテープ記録装置２０４にロードされているビデオテープからオーディオ／ビデオ素材を再生するデータプロセッサを代表するものである。さらに、採取プロセッサ１７８は、通信ネットワーク１８２にアクセスするためのネットワークカードを備える。Ｆｉｇ．９に示すように、通信チャンネル１８２は、比較的伝送帯域幅の狭いデータ通信チャンネル１８２’と、ビデオデータストリーム用の伝送帯域幅の広いＳＤＩチャンネル１８２”とを備える。これに対応して、採取プロセッサ１７８は、オーディオ／ビデオ素材の対応するアイテムを要求するために、ＲＳ−４２２リンクを介してビデオテープ記録装置２０４に接続されている。この接続を介してオーディオ／ビデオ素材のアイテムが要求されると、オーディオ／ビデオ素材は、ＳＤＩ通信リンク２０６を介して、ビデオテープ記録装置２０４から採取プロセッサ１７８に供給され、さらにＳＤＩチャンネル１８２”を介してＳＤＩネットワークに分配される。この要求は、例えば、オーディオ／ビデオ素材のアイテムを固有に識別するＵＭＩＤを含んでいてもよい。
【００６０】
メタデータのデータベース１７６と連携した採取プロセッサ１７８の動作について、Ｆｉｇ．１０を用いて説明する。Ｆｉｇ．１０に示すように、メタデータのデータベース１７６には、特定のテープＩＤ２１２に関連付けられた複数のメタデータ２１０のアイテムが格納されている。破線の矢印２１４により示すように、テープＩＤ２１２は、メタデータ２１０に対応するオーディオ／ビデオ素材が記録された特定のビデオテープ２１６を識別するものである。Ｆｉｇ．１０に示す具体例では、テープＩＤ２１２は、ビデテープ２１８の線形タイムコード領域２２０に記録されている。なお、これに代えて、例えば垂直ブランキング領域等の他の領域にテープＩＤを記録するようにしてもよい。ビデオテープ２１６は、採取プロセッサ１７８の一部を構成する複数のビデオテープ記録装置２０４のうちのいずれか１つにロードされる。
【００６１】
動作時には、編集端末装置１８４の１つが帯域幅の狭い通信チャンネル１８２’を介してメタデータのデータベース１７６にアクセスし、これにより編集端末装置１８４には、テープ２１６に記録されているオーディオ／ビデオ素材のコンテンツを記述するメタデータ２１０が供給される。メタデータ２１０には、著作権者「ＢｓｋｙＢ」、ピクチャの解像度、ビデオ素材の符号化フォーマット、この具体例では「グランドスタンド（Grandstand）である」番組名、及び日付、時刻、視聴者数等の情報が含まれる。さらに、メタデータ２１０は、オーディオ／ビデオ素材の内容に関する覚書を含む。
【００６２】
オーディオ／ビデオ素材の各アイテムは、オーディオ／ビデオ素材を識別するＵＭＩＤに関連付けられている。これにより、編集端末装置１８４を用いて、メタデータ２１０から、番組を作成するために必要なオーディオ／ビデオ素材のアイテムを識別及び選択することができる。このオーディオ／ビデオ素材は、オーディオ／ビデオ素材に関連付けられたＵＭＩＤにより識別することができる。オーディオ／ビデオ素材にアクセスし、番組を作成するために、編集端末装置１８４は、帯域幅の狭い通信チャンネル１８２’を介して、そのオーディオ／ビデオ素材を要求するデータを送信する。この要求には、１又は複数のオーディオ／ビデオ素材のアイテムを識別する１又は複数のＵＭＩＤが含まれる。採取プロセッサ１７８は、編集端末装置１８４から送信されてきたオーディオ／ビデオ素材に対する要求に応答して、ビデオテープ２１６がロードされているビデオテープ記録装置から、この１又は複数のＵＭＩＤにより識別されるオーディオ／ビデオ素材のアイテムを選択的に再生する。このオーディオ／ビデオ素材は、ＳＤＩネットワーク１８２”を介して、編集端末装置１８４に伝送され、現在編集中のオーディオ／ビデオ作品に組み込まれる。伝送されたオーディオ／ビデオ素材は、オーディオ／ビデオサーバ１９０に採取（ingested）される。このオーディオ／ビデオサーバ１９０は、オーディオ／ビデオ素材を保存及び再生できる。
【００６３】
Ｆｉｇ．１１は、メタデータ２１０がオーディオ／ビデオ素材とともに適切な記録媒体に記録されている変形例を説明する図である。例えば、メタデータ２１０は、ビデオテープ２１８’のオーディオトラックの１つに記録することができる。これに代えて、記録媒体は、ランダムアクセスを可能とし、データ容量も大きい光ディスク又は磁気ディスクであってもよい。この場合、メタデータをオーディオ／ビデオ素材とともに記録することができる。
【００６４】
さらなる変形例として、メタデータの一部又は全てをテープ２１６に記録してもよい。このメタデータは、例えば、テープ２１６の線形記録トラック２１８に記録できる。テープ２１６上に記録されたメタデータに関連するメタデータの一部を個別にデータベース１７６に送信及び登録してもよい。メタデータを採取するためには、さらなる処理が必要であり、このため、採取プロセッサ１７８は、記録媒体２１８’からメタデータを読み出し、このメタデータを通信ネットワーク１８２’を介してメタデータデータベース１７６に供給する。すなわち、採取プロセッサ１７８により採取するべきオーディオ／ビデオ素材に関連するメタデータは、独立した記録媒体又はオーディオ／ビデオ素材が記録されている記録媒体のいずれからも採取でき、データベース１７６に登録できる。
【００６５】
オーディオ／ビデオ素材に関連付けられたメタデータは、ビデオ素材における様々な時点の画像を比較的低い画質で表現するピクチャスタンプを含む。これらピクチャスタンプは、採取プロセッサ１７８のタッチ画面２０２に表示することができる。さらに、ネットワーク１８２’を介して、これらピクチャスタンプを編集端末装置１８４，１８６又はマルチ効果プロセッサ１８８に供給して、オーディオ／ビデオ素材のコンテンツを指示するようにしてもよい。これにより、編集者は、オーディオ／ビデオ素材のコンテンツを視覚的に確認することができ、これに基づいてオーディオ／ビデオ素材のアイテムを選択することができる。さらに、ピクチャスタンプは、メタデータ２１０の一部として、データベース１７６に登録してもよい。編集者は、ピクチャスタンプに関連付けられたＵＭＩＤを用いて、ピクチャスタンプに対応する選択されたアイテムを呼び出す（retrieve）ことができる。
【００６６】
オーディオ／ビデオ素材とともにピクチャスタンプを記録するための十分な容量を記録媒体が有していない場合がある。記録媒体がビデオテープ２１６である場合などは、このような状況が生じやすい。特にこのような場合、必要条件ではないが、オーディオ／ビデオ素材の採取前又は採取中にピクチャスタンプを生成することが望ましい。
【００６７】
Ｆｉｇ．７において、他の具体例として、採取プロセッサ１７８に前処理ユニット（pre-processing unit）を設けてもよい。採取プロセッサ１７８に組み込まれた前処理ユニットは、この具体例ではビデオテープ１２６である記録媒体に記録されているオーディオ／ビデオ素材を読み出す。このために、前処理ユニットは、独立したビデオ記録／再生部を備え、あるいは、採取プロセッサ１７８の一部を形成するビデオ／記録再生装置に接続されている。前処理ユニットは、オーディオ／ビデオ素材に関連するピクチャスタンプを生成する。上述のように、ピクチャスタンプは、オーディオ／ビデオ素材のアイテムのコンテンツの視覚的な表現を提供する。なお、本発明のさらなる具体例においては、前処理ユニットは、オーディオ／ビデオ素材を処理し、オーディオ／ビデオ素材のコンテンツ内の相対的な動きを表現する動き情報（activity indicator）を生成する。この処理は、例えば、ビデオ信号により表される画像内の色成分のヒストグラムに基づいて動き信号を生成するプロセッサを用いて、ヒストグラムの色成分の変化率に応じて動き信号を生成することにより実現される。前処理ユニットは、ビデオ素材全体に亘って、この動き信号により動きが検出された時点でピクチャスタンプを生成する。この処理をＦｉｇ．１２に示す。Ｆｉｇ．１２ａに示す例では、ビデオ信号の時間軸を表す直線２２６に沿って複数のピクチャスタンプ２２４が生成されている。Ｆｉｇ．１２ａに示すように、ピクチャスタンプ２２４は、時間軸２２６に沿って、動きの発生を指示する矢印２２８で表される動き信号が動きの検出を示すたびに生成される。この動きは、例えば、何者かがカメラの視野内に入り、カメラの視野外に出る等、ビデオ信号により表される情報に大きな変化が生じた場合に検出される。このため、動き信号は、例えばＭＰＥＧ標準規格に基づいて生成される動きベクトル等の情報を用いて生成することもできる。
【００６８】
本発明の他の具体例においては、前処理ユニットは、テープ１２６に記録されているオーディオ／ビデオ素材のアイテムの一部を構成するオーディオ信号が表す音声に対応するテキスト情報を生成する。テキスト情報は、ピクチャスタンプの代わりに生成してもよく、ピクチャスタンプとともに生成してもよい。この場合、テキスト情報は、例えば文の最初の単語及び／又は話者の最初の発声（activity）に対して生成してもよい。このテキスト情報は、テープに記録され、又はオーディオ／ビデオ素材の一部を形成するオーディオ信号から検出される。Ｆｉｇ．１２ｂには、時間軸２２６に沿ってテキスト情報が生成される開始点を矢印２３０として示している。これに代えて、文の最後の部分のテキスト情報を生成するようにしてもよく、談話内の他の重要な部分についてテキスト情報を生成するようにしてもよい。
【００６９】
音声の開始が検出された時点で、音声プロセッサは、その音声のコンテンツを表すテキスト情報を生成する。Ｆｉｇ．１２ｂに示す時間軸２２６上には、音声が発せられている期間の開始時の音声のコンテンツに対応するテキスト２３２を示している。
【００７０】
前処理ユニットにより生成されるピクチャスタンプ及びテキスト情報は、通信チャネル１８２を介して、メタデータのデータベース１７６に供給され、登録される。これらピクチャスタンプ及びテキスト情報は、ピクチャスタンプ２２４及びテキスト情報２３２が生成されたオーディオ／ビデオ素材の対応するアイテムを識別するＵＭＩＤに関連付けられて登録される。これにより、編集者は、編集端末装置１８４，１８６の１つを用いて、オーディオ／ビデオ素材を採取プロセッサ１７８により採取する前に、オーディオ／ビデオ素材のコンテンツを分析することができる。ビデオテープ１２６が採取プロセッサ１７８にロードされると、この後、ネットワーク通信チャンネル１８２を介してオーディオ／ビデオ素材にアクセスすることができる。したがって、編集者は、オーディオ／ビデオ素材のコンテンツを速やかに確認することができ、したがって、自らが必要とする特定の素材アイテムに関連する素材の部分のみを採取することができる。このため、編集者によりオーディオ／ビデオ作品を作成する作業の効率を高めることができる。
【００７１】
変形例として、前処理ユニットは、ピクチャスタンプ及び／又はテキスト情報を表示する画面と、採取すべきオーディオ／ビデオ素材を選択する機能を提供する例えばタッチスクリーン等の操作子等を備える専用の装置として独立させてもよい。
【００７２】
本発明のさらなる具体例においては、採取プロセッサ１７８は、オーディオ／ビデオ素材を採取する間にＵＭＩＤ等のメタデータを生成する。この処理は、カメラ１５２の取得ユニットがＵＭＩＤを生成せず、固有素材参照番号（Unique Material Reference Number：以下、ＭＵＲＮという。）を生成する場合に必要である。ＭＵＲＮは、例えばテイク等、各素材アイテム毎に生成される。ＭＵＲＮは、ＵＭＩＤよりかなり短いデータとして構成されており、ＵＭＩＤの長さのためにＵＭＩＤを格納することが難しいビデオテープの線形タイムコード内にも格納することができる。これに代えて、ＭＵＲＮをテープのTELEFILE(RTM)ラベルに書き込んでもよい。ＭＵＲＮは、テープに記録されているオーディオ／ビデオ素材のアイテムに対する固有の識別情報を提供する。ＭＵＲＮは、線１７４により示すように、独立した経路を介して、データベース１７６に送信される。
【００７３】
採取プロセッサ１７８は、テープ又はTELEFILEラベルから素材のアイテムに対するＭＵＲＮを復元する。採取プロセッサ１７８は、各ＭＵＲＮに対応するＵＭＩＤを生成する。このＵＭＩＤは、ＭＵＲＮとともにデータベース１７６に送信され、データベース１７６において、ＭＵＲＮと関連付けて登録される。このＭＵＲＮは、既にデータベース１７６に登録されているものであってもよい。
【００７４】
カメラメタデータ
以下、番組の制作中に生成されるメタデータの種類と、メタデータを組織化する手法を例示的に説明する。
【００７５】
Ｆｉｇ．１３は、組織化されたメタデータの構造の具体例を示している。この構造には、それぞれがメタデータを含む複数のフィールドを有する複数のテーブルが設けられている。これらテーブルは、それぞれの共通フィールドにより相互に関連付けられ、これにより相互関連構造（relational structure）が実現されている。さらに、この構造では、同じテーブルにおいて複数のインスタンスを設けてもよく、これによりそのテーブルが表すオブジェクトの複数のインスタンスが表現される。フィールドは、所定の手法によりフォーマットしてもよい。また、フィールドのサイズも予め定めてもよい。サイズの例としては、２バイトを表す「Ｉｎｔ」、４バイトを表す「Ｌｏｎｇ  Ｉｎｔ」、８バイトを表す「Ｄｏｕｂｌｅ」等がある。これに代えて、フィールドサイズは、例えば、８個、１０個、１６個、３２個、１２８個、２５５個のキャラクタ等、そのフィールド内に含まれるキャラクタの数を参照して定義してもよい。
【００７６】
この構造をより詳しく説明する。この構造は、番組テーブル（Programme Table）を有している。番組テーブルは、番組ＩＤ（Programme ID：以下、ＰＩＤという。）、タイトル、作業タイトル（Working Title）、概要（Synopsis）、アスペクト比、ディレクタＩＤ、ピクチャスタンプ（Picturestamp）等を含んでいる。番組テーブルには、ジャンルテーブル、キーワードテーブル、台本テーブル（Script Table）、関係者テーブル（People Table）、スケジュールテーブル、複数の媒体オブジェクトテーブルに関連付けられている。
【００７７】
ジャンルテーブルは、番組テーブルのジャンルＩＤフィールドに関連付けられたジャンルＩＤとジャンル記述（Genre Description）とを含む複数のフィールドを有する。
【００７８】
キーワードテーブルは、番組テーブルの番組ＩＤフィールドに関連付けられた番組ＩＤと、キーワードＩＤと、キーワードとを含む複数のフィールドを有する。
【００７９】
台本テーブルは、台本ＩＤ、台本名、台本タイプ、文書フォーマット、パス、作製日付、原作者、バージョン、最終変更、変更者、番組ＩＤに関連するＰＩＤ、及び覚書（Notes）を含む複数のフィールドを有する。関係者テーブルは、画像を含む複数のフィールドを有する。
【００８０】
関係者テーブルは、複数の個人テーブル（Individual Table）及びグループテーブル（Group Table）に関連付けられている。各個人テーブルは、画像を含む複数のフィールドを有する。各グループテーブルも、画像を含む複数のフィールドを有する。各個人テーブルは、制作スタッフテーブル又は出演者テーブルのいずれかに関連付けられている。
【００８１】
制作スタッフテーブルは、制作スタッフＩＤ、姓、名、契約ＩＤ（Contract ID）、代理人、代理人ＩＤ、電子メールアドレス、住所、電話番号、職務ＩＤ、覚書、アレルギ、誕生日（Date of Birth：ＤＯＢ）、国民保険番号（National Insurance Number）、銀行ＩＤ（Bank ID）、ピクチャスタンプを含む複数のフィールドを有する。
【００８２】
出演者テーブルは、キャストＩＤ、姓、名、配役、契約ＩＤ（Contract ID）、代理人、代理人ＩＤ、組合番号（Equity Number）、電子メールアドレス、住所、電話番号、誕生日、銀行ＩＤ（Bank ID）、ピクチャスタンプを含む複数のフィールドを有している。制作スタッフテーブルと、出演者テーブルは、銀行詳細テーブル（Bank Details Table）及び代理人テーブルに関連付けられている。
【００８３】
銀行詳細テーブルは、制作スタッフテーブルの銀行ＩＤフィールド及び出演者テーブルの銀行ＩＤフィールドに関連付けられた銀行ＩＤと、種類コード（Sort Code）と、口座番号と、口座名とを含む複数のフィールドを有する。
【００８４】
代理人テーブルは、制作スタッフテーブルの代理人ＩＤフィールド及び出演者テーブルの代理人ＩＤフィールドに関連付けられた代理人ＩＤと、名称又は氏名、住所、電話番号、ホームページアドレス、電子メールアドレス、ピクチャスタンプを含む複数のフィールドを有する。制作スタッフテーブルは、職務テーブルにも関連付けられている。
【００８５】
職務テーブルは、制作スタッフテーブルの職務ＩＤフィールドに関連付けられた職務ＩＤ、役割（function）、覚書、ピクチャスタンプを含む複数のフィールドを有する。各グループテーブルは、組織テーブル（Organization Table）に関連付けられている。
【００８６】
組織テーブルは、組織ＩＤ、名称、種類、住所、契約ＩＤ、連絡先名（Contact Name）、連絡先電話番号、ホームページ、ピクチャスタンプを含む複数のフィールドを有している。
【００８７】
各媒体オブジェクトテーブルは、媒体オブジェクトＩＤ、説明、ピクチャスタンプ、ＰＩＤ、フォーマット、スケジュールＩＤ、台本ＩＤ、マスタＩＤを含む複数のフィールドを有している。媒体オブジェクトテーブルには、関係者テーブル、マスタテーブル、スケジュールテーブル、ストーリーボード（絵コンテ）テーブル、台本テーブル、及び複数の場面テーブル（Shot Table）が関連付けられている。
【００８８】
マスタテーブルは、媒体オブジェクトテーブルのマスタＩＤフィールドに関連付けられているマスタＩＤ、タイトル、基礎ＵＭＩＤ、ＥＤＬ ＩＤ、テープＩＤ、期間、ピクチャスタンプを含む複数のフィールドを有する。
【００８９】
スケジュールテーブルは、スケジュールＩＤ、スケジュール名、文書フォーマット、パス、作成日、原作者、開始日、終了日、バージョン、最終変更、変更者、覚書、及び番組ＩＤに関連するＰＩＤを含む複数のフィールドを有する。
【００９０】
契約テーブルは、制作スタッフテーブル、出演者テーブル、及び組織テーブルの契約ＩＤフィールドに関連する契約ＩＤ、効力発生日、レート、仕事タイトル、効力消滅日、詳細を含む複数のフィールドを有している。
【００９１】
ストーリーボードテーブルは、場面テーブルのストーリーボードＩＤに関連するストーリーボードＩＤ、説明、原作者、パス、媒体ＩＤを含む複数のフィールドを有する。
【００９２】
各場面テーブルは、場面ＩＤ、ＰＩＤ、媒体ＩＤ、タイトル、場所（Location）ＩＤ、覚書、ピクチャスタンプ、台本ＩＤ、スケジュールＩＤ、説明を含む複数のフィールドを有する。各場面テーブルには、関係者テーブル、スケジュールテーブル、台本テーブル、場所テーブル及び複数のテイクテーブルが関連付けられている。
【００９３】
場所テーブルは、場面テーブルの場所ＩＤフィールドに関連付けられた場所ＩＤ、ＧＰＳ、住所、説明、名称、時間単価、道順（Directions）、連絡先名称、連絡先住所、連絡先電話番号、ピクチャスタンプを含む複数のフィールドを有する。
【００９４】
各テイクテーブルは、基礎ＵＭＩＤ、テイク番号、場面ＩＤ、媒体ＩＤ、タイムコードＩＮ、タイムコードＯＵＴ、標識メタデータ（Sign Metadata）、テープＩＤ、カメラＩＤ、ヘッド時間（Head Hours）、映像技師（Videographer）、ＩＮスタンプ、ＯＵＴスタンプ、レンズＩＤ、オートＩＤ（AUTOID）、インジェストＩＤ（ingest ID）、覚書を含む複数のフィールドを有する。テイクテーブルには、テープテーブル、タスクテーブル、カメラテーブル、レンズテーブル、インジェストテーブル、テイク注釈テーブルが関連付けられている。
【００９５】
インジェストテーブルは、テイクテーブルのインジェストＩＤに関連付けられたインジェストＩＤと説明を含む複数のフィールドを有する。
【００９６】
テープテーブルは、テイクテーブルのテープＩＤフィールドに関連付けられたテープＩＤ、ＰＩＤ、フォーマット、最大期間（Max Duration）、第１用途（First Usage）、最大削除箇所（Max Erasures）、現在削除箇所（Current Erasure）、推定到着時刻（estimated time of arrival: ETA）、最終削除日付、ピクチャスタンプを含む複数のフィールドを有する。
【００９７】
タスクテーブルは、タスクＩＤ、ＰＩＤ、それぞれテイクテーブルの媒体ＩＤフィールド及び場面フィールドに関連付けられた媒体ＩＤ及び場面ＩＤ、タイトル、タスクノート、分配リスト、ＣＣリストを含む複数のフィールドを有する。タスクテーブルには、計画場面テーブル（Planned Shot Table）が関連付けられている。
【００９８】
計画場面テーブルは、計画場面ＩＤ、それぞれタスクテーブルのＰＩＤ、媒体ＩＤ、及び場面ＩＤに関連付けられたＰＩＤ、媒体ＩＤ、場面ＩＤ、ディレクタ、場面タイトル、場所、覚書、説明、映像技師、期限日、番組タイトル、媒体タイトル、アスペクト比、フォーマットを含む複数のフィールドを有する。
【００９９】
カメラテーブルは、テイクテーブルのカメラＩＤフィールドに関連付けられたカメラＩＤ、製造業者、型番、フォーマット、シリアル番号、ヘッド時間、レンズＩＤ、覚書、連絡先名、連絡先住所、連絡先電話番号、ピクチャスタンプを含む複数のフィールドを有する。
【０１００】
レンズテーブルは、テイクテーブルのレンズＩＤフィールドに関連付けられたレンズＩＤ、製造業者、型番、シリアル番号、連絡先名、連絡先住所、連絡先電話番号、ピクチャスタンプを含む複数のフィールドを有する。
【０１０１】
各注釈テーブルは、テイク注釈ＩＤ、基礎ＵＭＩＤ、タイムコード、シャッタースピード、絞り、ズーム、階調度（ガンマ）、ショットＩＤ、フィルタホイール（Filter Wheel）、詳細、ゲインを含む複数のフィールドを有する。各テイク注釈テーブルには、ショットマーカテーブルが関連付けられている。
【０１０２】
ショットマーカテーブルは、テイク注釈テーブルのショットマーカＩＤに関連付けられたショットマーカＩＤと説明を含む複数のフィールドを有する。
【０１０３】
ＵＭＩＤの説明
ＵＭＩＤについては、２０００年３月発行のＳＭＰＴＥジャーナル（SMPTE Journal）に記述されている。本明細書では、このようなＵＭＩＤをＳＭＰＴＥ標準のＵＭＩＤと呼ぶ。Ｆｉｇ．１４及びＦｉｇ．１５を参照して、基礎ＵＭＩＤ（basic UMID）及び拡張ＵＭＩＤ（extended UMID）を説明する。この拡張ＵＭＩＤは、基礎ＵＭＩＤ用の前半３２バイトと、標識メタデータ（signature metadata）用の後半３２バイトとを有する。
【０１０４】
前半３２バイトに格納される基礎ＵＭＩＤは、以下の成分からなる。
【０１０５】
・このデータがＳＭＰＴＥ  ＵＭＩＤであることを識別するための１２バイトの汎用ラベル（universal label）。この汎用ラベルは、このＵＭＩＤにより識別される素材の種類と、汎用固有素材番号及びローカル固有インスタンス番号を生成するメッソドを定義する。
【０１０６】
・ＵＭＩＤの残りの部分の長さを示す１バイトの長さ値（length value）。
【０１０７】
・同一の素材番号を有する素材のインスタンス間の違いを定義するために用いる３バイトのインスタンス番号。
【０１０８】
・各クリップを識別するための１６バイトの素材番号。同一素材内の関連するインスタンスの各素材番号は同一である。
【０１０９】
後半３２バイトの標識メタデータは、拡張ＵＭＩＤを形成するために用いられるパックされたメタデータ項目の組により構成される。拡張ＵＭＩＤは、基礎ＵＭＩＤと、その直後に設けられた標識メタデータからなり、標識メタデータは、以下の成分からなる。
【０１１０】
・コンテンツユニット（content unit）が生成された日時を示す８バイトの時間／日付コード。
【０１１１】
・コンテンツユニット生成時の１２バイトの地理座標を示すコード。
【０１１２】
・国名、組織及び個人コードを登録する各４バイトの３グループのコード。
【０１１３】
基礎ＵＭＩＤ及び拡張ＵＭＩＤの各成分をさらに詳細に説明する。
１２バイトの汎用ラベル
ＵＭＩＤにおける最初の１２バイトは、以下の表１に定義される登録されたストリング値によりＵＭＩＤを識別するものである。
【０１１４】
【表３】
0004591982.tif 000004
【０１１５】
表１に示す１６進数は例示的なものであり、これら以外の値を用いてもよい。また、バイト１〜バイト１２にこの表１に示す情報以外の情報を格納してもよい。表１に示す例では、バイト４は、バイト５〜１２がＳＭＰＴＥに準拠するデータフォーマットに関するものであることを示している。バイト５は、バイト６〜１０が「辞書」データに関するものであることを示している。バイト６バイトは、バイト７〜バイト１０に定義されている「メタデータ」がどのようなメタデータであるかを示している。バイト７は、バイト９及びバイト１０により定義されるメタデータを含む辞書の部分を示している。バイト８は、辞書のバージョンを示す。バイト９は、データクラスを示し、バイト１０はそのクラス内の特定の項目を示す。
【０１１６】
この具体例においては、バイト１〜１０は、予め割り当てられた固定の値を有する。バイト１１は変数である。表１及びＦｉｇ．３に示すように、ＵＭＩＤ汎用ラベルにおけるバイト１〜１０は固定である。したがって、このバイト１〜１０は、バイト１〜１０を表す１バイトの種類コード（type code）Ｔにより置換できる。種類コードコードＴの後には、長さコード（length code）Ｌが設けられる。これら２つのバイトに続いて、表１に示すバイト１１及びバイト１２が設けられ、続いて３バイトのインスタンス番号及び１６バイトの素材番号が設けられる。さらに、任意項目として、拡張ＵＭＩＤ及び／又はその他のメタデータ構造において、素材番号に続いて標識メタデータを設けてもよい。
【０１１７】
バイト１１により示されるＵＭＩＤ種類は、以下のような４つの異なるデータ種類を表す４つの別個の値を有している。
【０１１８】
「０１ｈ」＝ピクチャ素材のＵＭＩＤ
「０２ｈ」＝オーディオ素材のＵＭＩＤ
「０３ｈ」＝データ素材のＵＭＩＤ
「０４ｈ」＝グループ素材、すなわち関連するエッセンスの組み合わせのＵＭＩＤの値
１２バイトからなるラベルの最後のバイト、すなわちバイト１２は、素材及びインスタンス番号を生成するメソッドを定義する。バイト１２は、トップニブル（top nibble）及びボトムニブル（bottom nibble）からなり、トップニブルは、素材番号生成のためのメッソドを定義し、ボトムニブルは、インスタンス番号生成のためのメソッドを定義する。
【０１１９】
長さ(length)
長さを表すLengthの値は、基礎ＵＭＩＤの場合「１３ｈ」であり、拡張ＵＭＩＤの場合「３３ｈ」である。
【０１２０】
インスタンス番号（instance number）
インスタンス番号は、標準規格に定義されているいくつかの手法の１つにより生成された固有の３バイトからなる番号である。インスタンス番号は、クリップ内の特定のインスタンスと外部の関連するメタデータとの間のリンク情報を提供する。このインスタンス番号がない場合、全ての素材は、その素材の全てのインスタンス及び関連するメタデータにリンクすることができる。
【０１２１】
新たなクリップを生成するためには、インスタンス番号０を有する新たな素材番号を生成する必要がある。したがって、０ではないインスタンス番号は、関連するクリップがソース素材ではないことを示す。インスタンス番号は、主に、クリップ内の任意の特定のインスタンスに関連するメタデータを識別するために使用される。
【０１２２】
素材番号（material number）
１６バイトからなる素材番号は、標準規格において定義されているいくつかの手法のうちの１つにより生成された０ではない番号である。この番号は、６バイトの登録されたポートＩＤ番号、時間及び乱数生成器により生成される。
【０１２３】
標識メタデータ（signature metadata）
標識メタデータの全ての成分は、空白（null-filled）であってもよく、すなわち有効な値が入力されていなくてもよい。空白の成分は、ダウンストリームの復号器にこの成分が有効ではないことを明瞭に示すために、完全に空白にされる。
【０１２４】
日時フォーマット（the time-date format）
日時フォーマットは、８バイトからなり、これらのうち前半の４バイトは、汎用タイムコード（universal time code：以下、ＵＴＣという。）に基づく時間成分である。時刻は、エッセンスの種類に応じて、ＡＥＳ３の３２ビットオーディオサンプルクロック及びＳＭＰＴＥ１２Ｍのいずれかにより定義される。
【０１２５】
後半の４バイトは、ＳＭＰＴＥ３０９Ｍにおいて定義されている修正ユリウスデータ（modified Julian data：以下、ＭＪＤという。）に基づいて日付を定義する。ＭＤＪは、西暦１８５８年１１月１７日の夜の１２時から９９９，９９９日間を数え上げるものであり、これにより西暦４５９７年までの日付を表すことができる。
【０１２６】
地理座標フォーマット（the spatial co-ordinate format）
地理座標値は、以下の３つの成分からなる。
【０１２７】
・高度：９９，９９９，９９９メートルまでの高度を特定する１０進数の８桁で定義される。
【０１２８】
・経度：東経／西経１８０．０００００度を特定する１０進数の８桁で定義される。（５つの１０進数位置がアクティブである。）
・緯度：北緯／南緯９０．０００００度を特定する１０進数の８桁で定義される。（５つの１０進数位置がアクティブである。）
高度を示す値は、地球の中心からの距離を示し、したがって、平均海水面以下の高さを表すこともできる。
【０１２９】
なお、多くのクリップにおいて地理座標は固定されるが、地理座標が動的に変化する場合もある。例えば、乗り物に搭載されたカメラ等の移動ソースから捕捉された素材における地理座標値は、随時変化することもある。
【０１３０】
国コード（country code）
国コードは、ＩＳＯ３１６６において定義されている短縮型の４バイトの英数字文字列により表される。登録されていない国は、ＳＭＰＴＥ登録機関（SMPTE Registration Authority）により英数字文字列の登録を得ることができる。
【０１３１】
組織コード（organization code）
組織コードは、ＳＭＰＴＥに登録される短縮形の４バイトの英数字文字列として表される。組織コードは、その組織が存在する国の登録された国コードに必ず関連付けられるので、異なる国の組織には同一の組織コードを与えることができる。
【０１３２】
ユーザコード（user code）
ユーザコードは、各組織が各地で（locally）割り当てた４バイトの英数字文字列であり、全体的には（組織外では）登録されない。ユーザコードは、登録された組織コード及び国コードに必ず関連付けられるので、異なる組織及び国においては、同一のユーザコードを用いることができる。
【０１３３】
フリーランスオペレータ（Freelance Operators）
フリーランスのオペレータは、居住する国の国コードと、組織コード及びユーザコードを結合した例えば８バイトのコードを使用することができ、この８バイトのコードをＳＭＰＴＥ登録機関に登録することができる。フリーランスのコードは、シンボル「〜」（ＩＳＯ８８５９文字番号７Ｅｈ）から開始され、これに続いて登録された７桁の英数文字列が設けられる。
【０１３４】
本発明の範囲から逸脱することなく、上述の実施の形態を様々に変形できることは、当業者にとって明らかである。例えば、上述の説明では、オーディオ／ビデオ信号を磁気テープに記録しているが、ここで他の記録媒体を用いてもよい。さらに、ユーザにより生成されるメタデータをテキスト情報として示しているが、他のいかなる形式のメタデータを自動的に又はユーザの操作に基づいて生成してもよく、このメタデータをインターフェイスユニットを介してオーディオ／ビデオ生成装置に供給してもよい。これに対応して、二次的なメタデータは、いかなる形式の意味的メタデータ又は統語的メタデータであってもよい。
【０１３５】
本発明の実施の形態において、データプロセッサ又は処理ユニットとして説明した構成要素は、ハードウェアとしても、適切なデータプロセッサ上で実行されるコンピュータソフトウェアプログラムとしても実現できる。また、データプロセッサ上で実行されるコンピュータプログラム又はアプリケーションプログラムとして説明した構成要素を専用のハードウェアとして実現してもよい。したがって、データプロセッサ上で実行されて、上述したオーディオ／ビデオ生成装置を実現するコンピュータプログラムは、本発明の範囲内にある。同様に、記録媒体に格納され、本発明に基づく方法を定義するコンピュータプログラム、又はコンピュータにロードされて本発明に基づく装置を実現するコンピュータプログラムは、本発明の範囲内にある。
【図面の簡単な説明】
【図１】Ｆｉｇ．１は、個人用デジタルアシスタント（ＰＤＡ）と連携して動作するビデオカメラの構成を示す図である。
【図２】Ｆｉｇ．２は、Ｆｉｇ．１に示すビデオカメラの一部の構成を示す図である。
【図３】Ｆｉｇ．３は、Ｆｉｇ．１に示すＰＤＡの外観を示す図である。
【図４】Ｆｉｇ．４は、ビデオカメラの一部と、さらなるＰＤＡと連携する独立した取得ユニットとしてメタデータを生成及び処理するビデオカメラの一部とによる構成を示す図である。
【図５】Ｆｉｇ．５は、Ｆｉｇ．４に示す取得ユニットの外観を示す図である。
【図６】Ｆｉｇ．６は、Ｆｉｇ．４に示す取得ユニットとビデオカメラ間の接続を図式的に説明する図である。
【図７】Ｆｉｇ．７は、ネットワークに接続された採取プロセッサと、メタデータ及びオーディオ／ビデオ素材アイテムの採取処理のフローを説明する図である。
【図８】Ｆｉｇ．８は、Ｆｉｇ．７に示す採取プロセッサの外観を示す図である。
【図９】Ｆｉｇ．９は、Ｆｉｇ．７及びＦｉｇ．８に示す採取プロセッサの外観及び構成を図式的に詳細に説明する図である。
【図１０】Ｆｉｇ．１０は、Ｆｉｇ．７に示す採取プロセッサとデータベースとの連携処理を説明する図である。
【図１１】Ｆｉｇ．１１は、Ｆｉｇ．７に示す採取プロセッサのさらなる処理例を説明する図である。
【図１２】Ｆｉｇ．１２ａは、オーディオ／ビデオ素材のサンプル時間におけるピクチャスタンプの生成を説明する図であり、Ｆｉｇ．１２ｂは、オーディオ／ビデオ素材の時間軸上の時刻におけるテキストサンプルの生成を説明する図である。
【図１３】Ｆｉｇ．１３は、組織化されたメタデータの構成例を示す図である。
【図１４】Ｆｉｇ．１４は、データが縮減されたＵＭＩＤの構造を示す図である。
【図１５】Ｆｉｇ．１５は、拡張ＵＭＩＤのデータ構造を示す図である。
【図１】
0004591982.tif 000005
【図２】
0004591982.tif 000006
【図３】
0004591982.tif 000007
【図４】
0004591982.tif 000008
【図５】
0004591982.tif 000009
【図６】
0004591982.tif 000010
【図７】
0004591982.tif 000011
【図８】
0004591982.tif 000012
【図９】
0004591982.tif 000013
【図１０】
0004591982.tif 000014
【図１１】
0004591982.tif 000015
【図１２】
0004591982.tif 000016
【図１３】
0004591982.tif 000017
【図１４】
0004591982.tif 000018
【図１５】
0004591982.tif 000019